(57)【要約】【課題】両端のいずれの方向からも開封することができ、ジッパーをカートンから引き裂いた後も見栄えがよく、かつ安定した生産性を有する形状のカートン用ジッパーを提供することである。【解決手段】開封方向に沿って引き裂かれる、二列に配列された切取り線からなるカートン用ジッパーにおいて、前記各切取り線が、切れ目部と繋ぎ部とが順次連接されて直線状に形成され、前記切れ目部が、直線部と該直線部の左端が「逆くの字状」および右端が「くの字状」に分岐された分岐線からなり、前記繋ぎ部が、前記「くの字状」の分岐線の端部と隣接した前記「逆くの字状」の分岐線の端部が対峙した間に形成されてなることを特徴とするカートン用ジッパーである。【選択図】図２
2014046976.tif 000002
【特許請求の範囲】
【請求項１】
開封方向に沿って引き裂かれる、二列に配列された切取り線からなるカートン用ジッパーにおいて、
前記各切取り線が、切れ目部と繋ぎ部とが順次連接されて直線状に形成され、
前記切れ目部が、直線部と該直線部の左端が「逆くの字状」および右端が「くの字状」に分岐された分岐線からなり、
前記繋ぎ部が、前記「くの字状」の分岐線の端部と隣接した前記「逆くの字状」の分岐線の端部が対峙した間に形成されてなることを特徴とするカートン用ジッパー。
【請求項２】
前記切れ目部が、前記「逆くの字状」および「くの字状」のそれぞれの分岐線の端部より、前記直線部と平行に平行直線部がそれぞれ形成され、
前記繋ぎ部が、前記平行直線部の端部と隣接する前記平行直線部の端部が対峙した間に形成されてなることを特徴とする請求項１記載のカートン用ジッパー。
【請求項３】
前記各切取り線の内側に、前記切取り線と同じ形状の切取り線を設けてなることを特徴とする請求項１または２記載のカートン用ジッパー。
【請求項４】
請求項１〜３のいずれか１項に記載のカートン用ジッパーを用いたことを特徴とするカートン。
【発明の詳細な説明】
【技術分野】
【０００１】
本発明は、カートンなどの開封に使用するジッパーに関するものである。詳しくは、開封操作において、両端のいずれの方向からも開封が可能なカートン用ジッパーに関するものである。
【背景技術】
【０００２】
各種食品類、医薬品類、あるいはその他日用品類などを包装する容器として、カートンが使用されている。カートンの開封にあたっては、カートンの必要な部分を引き裂くことができるカートン用ジッパーが多く使用されている。切取り線を二列に配列して帯状にして開封する構造を通称ジッパー８と称し、図１０に示すような形状が実施、又は提案されている。図１０は、従来のカートン用ジッパーの一例を示す平面説明図である。従来のジッパー１１０としては、例えば、切取り線として、図１０−１に示す、単にミシン目状の不連続な切れ目１２０を設けた形状、図１０−２に示す、Ｌ字形状の不連続な切れ目１３０を設けた形状、図１０−３に示す、Ｙ字形状の不連続な切れ目１４０を設けた形状、図１０−４に示す、Ｔ字形状の不連続切れ目１５０を設けた形状などがある。
【０００３】
しかし、これらの形状は、一方向から開封するものであり、他方向から開封し難い形状となっている。従って、表示が不明確な場合や、使用者が視覚障害者、老人、子供などにとっては、他方向から開封してしまう場合があり、開封に困難をきたすことがある。またジッパーをカートンから引き裂いた後、残された引き裂き部分がギザギザ状態になり、外観上、見栄えが悪い問題がある。
【０００４】
従ってこの問題を解決するために、両端のいずれの方向からも開封することができるカートン用ジッパーが提案されている（特許文献１）。これは、開封方向に沿って規則的に同一位相で二列に断続する長い直線切込み線と、該各々長い切込み線の両端部に開封方向に直角な短い直線切込み線を設けたものである。
【０００５】
両端のいずれの方向からも開封できるものであるが、ジッパーをカートンから引き裂いた後、残された引き裂き部分がギザギザ状態になり、外観上、見栄えが悪い問題がある。
【０００６】
また、二列のジッパーライン上に不連続に設けられた主切れ目線と、該ジッパーラインの内側に所定の幅で平行な線上に不連続に設けられた補助切れ目線とからなり、主切れ目線が直線部の両端から鈍角で補助切れ目線に向かって斜めに伸びた斜線部とからなる形状であり、補助切れ目線が、隣接する主切れ目線の斜線部の先端間を補助切れ目線側に所定の幅で平行に移動した位置で、長さを先端間の距離と同等以上とした形状の提案がある（特許文献２）。
【０００７】
この提案は、両端のいずれの方向からも開封できるものであるが、補助切れ目線を別にジッパー内に二列形成するために、主切れ目線と補助切れ目線の加工には、難しい問題がある。特に同一抜き金型で行う場合、抜き刃が紙をカットした時の状態の確認が難しいことから、例えば、主切れ目線および補助切れ目線のカットのバラツキが生じる問題がある。また主切れ目線と補助切れ目線を別々に加工する場合は、補助切れ目線が所定の位置からズレ易く、引き裂き性にバラツキが生じる問題がある。
【０００８】
よって、両端のいずれの方向からも開封することができ、安定した生産性を有する形状のカートン用ジッパーが要望されている。
【先行技術文献】
【特許文献】
【０００９】
【特許文献１】特開平１０−１０１０６４号公報
【特許文献２】特開２００５−１７８７８８号公報
【発明の概要】
【発明が解決しようとする課題】
【００１０】
両端のいずれの方向からも開封することができ、ジッパーをカートンから引き裂いた後も見栄えがよく、かつ安定した生産性を有する形状のカートン用ジッパーを提供することである。
【課題を解決するための手段】
【００１１】
上記の課題を解決するために、発明者らは鋭意検討を行い、本発明を完成した。
【００１２】
本発明の請求項１に係る発明は、開封方向に沿って引き裂かれる、二列に配列された切取り線からなるカートン用ジッパーにおいて、
前記各切取り線が、切れ目部と繋ぎ部とが順次連接されて直線状に形成され、
前記切れ目部が、直線部と該直線部の左端が「逆くの字状」および右端が「くの字状」に分岐された分岐線からなり、
前記繋ぎ部が、前記「くの字状」の分岐線の端部と隣接した前記「逆くの字状」の分岐線の端部が対峙した間に形成されてなることを特徴とするカートン用ジッパーである。
【００１３】
本発明の請求項２に係る発明は、前記切れ目部が、前記「逆くの字状」および「くの字状」のそれぞれの分岐線の端部より、前記直線部と平行に平行直線部がそれぞれ形成され、
前記繋ぎ部が、前記平行直線部の端部と隣接する前記平行直線部の端部が対峙した間に形成されてなることを特徴とする請求項１記載のカートン用ジッパーである。
【００１４】
本発明の請求項３に係る発明は、前記各切取り線の内側に、前記切取り線と同じ形状の切取り線を設けてなることを特徴とする請求項１または２記載のカートン用ジッパーである。
【００１５】
本発明の請求項４に係る発明は、請求項１〜３のいずれか１項に記載のカートン用ジッパーを用いたことを特徴とするカートンである。
【発明の効果】
【００１６】
本発明のカートン用ジッパーは、両端いずれの方向からも開封することができる。表示が不明確な場合でも、使用者が視覚障害者、老人、子供などでもジッパーを安定して引き裂くことができる。また開封した後、残された引き裂かれた部分も外観上見栄えがよい。また本発明のカートン用ジッパーは、安定した生産性を有している。
【００１７】
本発明の請求項１によれば、切取り線は、切れ目部と繋ぎ部とが順次連接されて直線状に形成されている。切れ目部が、直線部と該直線部の左端が「逆くの字状」および右端が「くの字状」に分岐された分岐線からなり、繋ぎ部が、「くの字状」の分岐線の端部と隣接した「逆くの字状」の分岐線の端部が対峙した間に形成されてなることをより、両端のいずれの方向からも開封することができる。安定して引き裂くことができる。またジッパーをカートンから引き裂いた後も外観上見栄えがよい。また本発明のカートン用ジッパーは、安定した生産性を有している。
【００１８】
本発明の請求項２によれば、切れ目部が、「くの字状」および「逆くの字状」のそれぞ
れの分岐線の端部より、前記直線部と平行に平行直線部がそれぞれ形成され、該平行直線部の端部と隣接する平行直線部の端部が対峙した間に繋ぎ部を形成されてなることにより、両端のいずれの方向からも開封することができ、さらに安定して引き裂くことができる。またジッパーをカートンから引き裂いた後も外観上見栄えがよい。
【００１９】
本発明の請求項３によれば、各切取り線の内側に、さらに前記切取り線と同じ形状の切取り線を設けてなることにより、引き裂き性を向上させることができる。
【００２０】
本発明の請求項４によれば、請求項１〜３のいずれか１項に記載のカートン用ジッパーを用いたことを特徴とするカートンである。本発明のカートン用ジッパーを用いたカートンは、両端のいずれの方向からも開封が容易にできるため、表示が不明確な場合や、使用者が視覚障害者、老人、子供などでも容易に開封することができる。また、ジッパーをカートンから引き裂いた後も見栄えがよく、利便性の高いカートンである。
【図面の簡単な説明】
【００２１】
【図１】本発明に係るカートン用ジッパーの一例を示す平面説明図である。
【図２】図１の切取り線の部分拡大図である。
【図３】本発明に係るカートン用ジッパーの別の一例を示す平面説明図である。
【図４】図３の切取り線の部分拡大図である。
【図５】図１のカートン用ジッパーを使用したカートンの一例を示す説明図である。
【図６】図１のカートン用ジッパーを使用したカートンの別の一例を示す説明図である。
【図７】図３のカートン用ジッパーを使用したカートンの一例を示す説明図である。
【図８】図１のカートン用ジッパーの形状を変えた一例を示す平面説明図である。
【図９】図１のカートン用ジッパーの形状を変えた別の一例を示す平面説明図である。
【図１０】従来のカートン用ジッパーの一例を示す平面説明図である。
【発明を実施するための形態】
【００２２】
以下に、本発明を実施するための形態について具体的に説明する。
【００２３】
図１は、本発明に係るカートン用ジッパーの一例を示す平面説明図である。本発明のカートン用ジッパー５０は、切取り線１が二列に配列され、各切取り線１の間がジッパー８となっている。ジッパーの両端には、それぞれ摘み部９が形成されている。また両端いずれの側の摘み部９を摘みやすいように、切取り線１の端部にＶ字形状などの切込み部１０を設けている。それぞれの切取り線１は、切れ目部２と繋ぎ部３が順次連接されて直線状に形成されている。両端いずれの方向からも開封することができる形状である。
【００２４】
図２は、図１のカートン用ジッパーの切取り線の部分拡大図である。切れ目部２は、直線部４と該直線部の左端が「逆くの字状」および右端が「くの字状」に分岐された分岐線６，５からなる形状である。また繋ぎ部３は、「くの字状」の分岐線５の端部と「逆くの字状」の分岐線６の端部が対峙した間に形成されている。このような切れ目部２と繋ぎ部３が順次連接されて直線状に形成されている。
【００２５】
例えば、左側から開封する場合、引き裂く力Ａは、切れ目部２の直線部４から、その右端の「くの字状」の分岐線５の端部に伝達され繋ぎ部３を引き裂いていく。その際、繋ぎ部３に掛かる力Ａは、繋ぎ部３を引き裂きながら対峙して待ち構える「逆くの字状」の分岐線６の端部に伝達されていく。次いで「逆くの字状」の分岐線６の端部から分岐線６、直線部４および「くの字状」の分岐線５へと伝達されていく。
【００２６】
開封方向に引き裂く力Ａは、直線部４、「くの字状」の分岐線５、繋ぎ部３、「逆くの字状」の分岐線６をサイクルとして順次伝達されていく。この引き裂く力Ａは、二列に配
列された各切取り線１に同時に伝達されて、容易に引き裂かれ、ジッパー８が開封されていく。本発明の切取り線１の形状は、右側からでも同様に引き裂くことができる。
【００２７】
図３は、本発明に係るカートン用ジッパーの別の一例を示す平面説明図である。本発明のカートン用ジッパー６０は、切取り線１が二列に配列され、各切取り線１の間がジッパー８となっている。ジッパーの両端には、それぞれ摘み部９が形成されている。また両端いずれの側の摘み部９を摘みやすいように、切取り線１の端部にＶ字形状などの切込み部１０を設けている。それぞれの切取り線１は、切れ目部２と繋ぎ部３が順次連接されて直線状に形成されている。
【００２８】
図４は、図３の切取り線の部分拡大図である。切れ目部２は、直線部４と該直線部の左端が「逆くの字状」および右端が「くの字状」に分岐された分岐線６，５からなり、該「逆くの字状」および「くの字状」のそれぞれの分岐線６，５の端部より、直線部４と平行に平行直線部７がそれぞれ形成され、繋ぎ部３が、平行直線部７の端部と、隣接する平行直線部７の端部が対峙した間に形成されている。
【００２９】
例えば、左側から開封する場合、引き裂く力Ａは、切れ目部２の直線部４から、右端の「くの字状」の分岐線５に伝達され、次いで分岐線５の端部の平行直線部７に伝達され繋ぎ部３を引き裂いていく。その際、繋ぎ部３に掛かる力Ａは、繋ぎ部３を引き裂きながら対峙して待ち構える「逆くの字状」の分岐線６の端部の平行直線部７に伝達されていく。次いで「逆くの字状」の分岐線６、直線部４および「くの字状」の分岐線５へと伝達されていく。
【００３０】
開封方向に引き裂く力Ａは、直線部４、「くの字状」の分岐線５、平行直線部７、繋ぎ部３、平行直線部７、「逆くの字状」の分岐線６をサイクルとして順次伝達されていく。この引き裂く力Ａは、二列に配列された各切取り線１に同時に伝達されて、容易に引き裂かれ、ジッパー８が開封されていく。本発明の切取り線の形状は、右側からでも同様に引き裂くことができる。
【００３１】
図５は、図１のカートン用ジッパーを使用したカートンの一例を示す説明図である。カートン用ジッパー５０を使用したカートン７０の一例である。カートン７０は、天パネル２０、側パネル２１、前パネル２２、側パネル２３、背パネル２４、底パネル２５によりにより構成されている。カートン用ジッパー５０は、切取り線１を二列に配列して帯状にして、天パネル２０を横断して形成されている。そして摘み部９をカートン用ジッパー５０の両端に設け、摘み易いように天パネル２０の端縁から突き出した形状に形成されている。両端いずれの摘み部９を摘まんでカートン用ジッパー５０を開封することにより、天パネル２０を容易に開口できるのである。
【００３２】
図６は、図１のカートン用ジッパーを使用したカートンの別の一例を示す説明図である。カートン用ジッパー５０を使用したカートン８０の一例である。カートン８０は、図５と同様に、天パネル、側パネル、前パネル、側パネル、背パネル、底パネルにより構成されている。カートン用ジッパー５０は、切り取り線１を二列に配列して帯状にして前パネル２２の上部に形成され、さらに該前パネル２２の端縁からそれぞれの側パネル２１、２３へ斜め上方に延長され、それぞれの側パネルの端縁に摘み部９を設けた形状のものである。このカートン用ジッパー５０を開封することで、カートン８０の天部２６を容易に開口できるのである。
【００３３】
図７は、図３のカートン用ジッパーを使用したカートンの一例を示す説明図である。カートン９０は、図３のカートン用ジッパー６０を、天パネル２０に形成したものである。摘み部９をカートン用ジッパー６０の両端に設け、摘み易いように天パネル２０の端縁から突き出した形状にしたものである。このカートン９０を開封するには、両端いずれの摘み部９を摘まんでカートン用ジッパー６０を開封することにより、天パネル２０を容易に開口できる。
【００３４】
本発明のカートン用ジッパーの形状は、二列に配列された直線状の切取り線からなるために、長方形を有している。よってカートン用ジッパーをカートンから引き裂いた後は、長方形の開口部を形成している。また本発明のカートン用ジッパーは、その形状を変えることにより新たな効果を発現できる。例えば図８、図９に示すような形状にすることができる。
【００３５】
図８は、図１のカートン用ジッパーの形状を変えた一例を示す平面説明図である。二列に配列された切込み線１が、それぞれ中央部方向に向かって内側に凹んだ形状に形成されたものである。形成されたカートン用ジッパー９５は、中央部が狭くなっている状態を示している。ジッパーを引き裂いた後の開口部を狭くすることができる。よって埃などの侵入を抑制することができる。
【００３６】
図９は、図１のカートン用ジッパーの形状を変えた別の一例を示す平面説明図である。二列に配列された切込み線１が、それぞれ中央部方向に向かって外側に膨らんだ形状に形成されている。形成されたカートン用ジッパー１００は、中央部が広くなっている状態を示している。ジッパーを引き裂いた後の開口部は、中央部が広くなっているために内容物を取り出し易くすることができる。
【００３７】
本発明のカートン用ジッパーは、二列に配列された切込み線の内側に、該切込み線と同じ形状の切込み線を設けることで（図には示していない）、さらに引き裂き性を向上させることができる。
【００３８】
以下、本発明の具体的実施例について説明する。
【実施例１】
【００３９】
坪量２００ｇ／ｍ２のコ―トボール紙を用い、横９１ｍｍ、縦４０ｍｍ、高さ２００ｍｍなるカートンを糊貼りして作成した。この際、カートンの天パネルに、図１に示す形状で、直線部の長さが７ｍｍ、「逆くの字状」および「くの字状」のそれぞれの分岐線の幅を１．５ｍｍ、繋ぎ部の長さ｛「くの字状」の分岐線の端部と「逆くの字状」の分岐線の端部との間隔｝が１．５ｍｍの切取り線を二列配列して帯状にして天パネルを横断してジッパーを形成した。ジッパーの両端には、摘み部をそれぞれ形成した。
【００４０】
評価方法として、一方の摘み部を摘み、開封方向に沿って引き裂き、ジッパーの引き裂き性と、引き裂いた後の見栄え性を確認した。また別のカートンを用いて他方の摘み部を摘み、開封方向に沿って引き裂き、ジッパーの引き裂き性と、引き裂いた後の見栄え性を確認した。
【００４１】
評価結果として、両端のいずれの方向からもジッパーを引き裂くことができた。容易に天パネルに開口部を形成することができた。またジッパーを天パネルから引き裂いた後も見栄えがよいものであった。
【００４２】
本発明のカートン用ジッパーを用いたカートンは、両端いずれの方向からも容易にジッパーを開封できる。またジッパーをカートンから引き裂いた後、残された引き裂き部分も、外観上見栄えがよく、利便性の高いカートンである。
【産業上の利用可能性】
【００４３】
本発明のカートン用ジッパーは、カートンを構成する構造体の各構成部、例えば、天パネル、側パネル、前パネル、側パネル、背パネルあるいは底パネルなどのいずれのパネルにも形成することができる。またカートンの胴部を形成する、側パネル、前パネル、側パネル、背パネルなどに亘って連続して設けることができる。またカートン以外にも、プラスチックケース、封筒類などにも利用することができる。
【符号の説明】
【００４４】
１      切取り線
２      切れ目部
３      繋ぎ部
４      直線部
５      「くの字状」の分岐線
６      「逆くの字状」の分岐線
７      平行直線部
８      ジッパー
９      摘み部
１０    切込み部（Ｖ字）
２０    天パネル
２１    側パネル
２２    前パネル
２３    側パネル
２４    背パネル
２５    底パネル
２６    天部
５０    本発明のカートン用ジッパー
５５    本発明のカートン用ジッパー（図１の切取り線の拡大図）
６０    本発明のカートン用ジッパー
６５    本発明のカートン用ジッパー（図３の切取り線の拡大図）
７０    本発明のカートン用ジッパー（図１に示す）を用いたカートン
８０    本発明のカートン用ジッパー（図１に示す）を用いたカートン
９０    本発明のカートン用ジッパー（図３に示す）を用いたカートン
９５    カートン用ジッパーの別の形状
１００  カートン用ジッパーの別の形状
１１０  従来のジッパー
１２０  ミシン目状に不連続な切れ目
１３０  Ｌ字形状の不連続な切れ目
１４０  Ｙ字形状の不連続な切れ目
１５０  Ｔ字形状の不連続な切れ目
Ａ      引き裂く力
【図１】
2014046976.tif 000003
【図２】
2014046976.tif 000004
【図３】
2014046976.tif 000005
【図４】
2014046976.tif 000006
【図５】
2014046976.tif 000007
【図６】
2014046976.tif 000008
【図７】
2014046976.tif 000009
【図８】
2014046976.tif 000010
【図９】
2014046976.tif 000011
【図１０】
2014046976.tif 000012